(57)【要約】【課題】現場での施工性を向上させた間仕切りシステムを提供する。【解決手段】間仕切りシステム１００は、天井面Ｄに固定された上レール１と、床面Ｆに固定された下レール２と、上レール１に上端部が係止されるとともに、下レール２に下端部が支持された間仕切りパネル３と、を備え、間仕切りパネル３は、枠体３０と、枠体３０の両面に設けられ、化粧が施された表面材４２と、を備え、枠体３０は、上枠３１と、下枠３４と、上枠３１と下枠３４とを連結する縦枠と、を有し、上枠３１には、上レール１と嵌合する上部嵌合部３２が形成され、下枠３４には、下レール２と嵌合する下部嵌合部３５が形成されていることを特徴とする。【選択図】図２
2017179919.tif 000002
【特許請求の範囲】
【請求項１】
天井面に固定された上レールと、
床面に固定された下レールと、
前記上レールに上端部が係止されるとともに、前記下レールに下端部が支持された間仕切りパネルと、を備えることを特徴とする間仕切りシステム。
【請求項２】
前記間仕切りパネルは、
枠体と、
該枠体の両面に設けられ、化粧が施された表面材と、を備えることを特徴とする請求項１に記載の間仕切りシステム。
【請求項３】
前記枠体は、
上枠と、
下枠と、
前記上枠と前記下枠とを連結する縦枠と、を有し、
前記上枠には、前記上レールと嵌合する上部嵌合部が形成され、
前記下枠には、前記下レールと嵌合する下部嵌合部が形成されていることを特徴とする請求項２に記載の間仕切りシステム。
【請求項４】
前記縦枠の側面には、内方に向かって凹む溝部が形成され、
隣接配置された前記間仕切りパネル間には、隣接する前記縦枠の前記溝部間に嵌め込まれる嵌合部材が設けられていることを特徴とする請求項３に記載の間仕切りシステム。
【発明の詳細な説明】
【技術分野】
【０００１】
本発明は、間仕切りシステムに関するものである。
【背景技術】
【０００２】
従来から、マンション等の集合住宅や戸建住宅等では、空間を区画する間仕切り壁が設置されている。例えば、軽量鉄骨等で構成された鋼製下地に、石膏ボード等のボード材が固定され、さらにクロスなどの内装仕上げ材を貼ったものが広く知られている（下記特許文献１参照）。
【先行技術文献】
【特許文献】
【０００３】
【特許文献１】特開２００９−１４４３５０号公報
【発明の概要】
【発明が解決しようとする課題】
【０００４】
しかしながら、上記の特許文献１に記載された間仕切り壁では、施工現場で、軽量鉄骨を組み立てて鋼製下地を設置して、鋼製下地にボード材を固定するため、現場施工に時間を要するとともに、作業員等により施工精度に差が生じるという問題点がある。
【０００５】
そこで、本発明は、上記事情に鑑みてなされたものであり、現場での施工性を向上させた間仕切りシステムを提供する。
【課題を解決するための手段】
【０００６】
上記目的を達成するために、本発明は以下の手段を採用している。
すなわち、本発明に係る間仕切りシステムは、天井面に固定された上レールと、床面に固定された下レールと、前記上レールに上端部が係止されるとともに、前記下レールに下端部が支持された間仕切りパネルと、を備えることを特徴とする。
【０００７】
このように構成された間仕切りシステムでは、施工現場で、天井面に上レールを固定し、床面に下レールを固定する。予め工場等で間仕切りパネルを製造しておけば、間仕切りパネルを運搬してきて、間仕切りパネルの上端部を上レールに係止させ、下端部を下レールに支持することで、間仕切りパネルが天井と床との間に設置される。よって、施工現場において、軽量鉄骨等で間仕切りの鋼製下地を組み立てる工事が省略され施工時間が短縮できるとともに、工場で製造された間仕切りパネルを使用することで施工精度を確保することができるため、現場での施工性が向上される。
【０００８】
また、本発明に係る間仕切りシステムでは、前記間仕切りパネルは、枠体と、該枠体の両面に設けられ、化粧が施された表面材と、を備えることが好ましい。
【０００９】
このように構成された間仕切りシステムでは、間仕切りパネルは、内部に枠体を有するため、間仕切りパネル自体で所定の剛性を確保することができる。また、枠体の両面には化粧が施された表面材が設けられ、表面材自体で化粧性を有するため、クロス等の壁紙を貼る工事が省略され、施工時間を短縮することができる。
【００１０】
また、本発明に係る間仕切りシステムでは、前記枠体は、上枠と、下枠と、前記上枠と前記下枠とを連結する縦枠と、を有し、前記上枠には、前記上レールと嵌合する上部嵌合部が形成され、前記下枠には、前記下レールと嵌合する下部嵌合部が形成されていてもよい。
【００１１】
このように構成された間仕切りシステムでは、上枠の上部嵌合部を上レールに嵌合して、下枠の下部嵌合部を下レールに嵌合させれば、枠体は上レール及び下レールに取り付けられるため、間仕切りパネルを作業性良く設置することができる。
【００１２】
また、本発明に係る間仕切りシステムは、前記縦枠の側面には、内方に向かって凹む溝部が形成され、隣接配置された前記間仕切りパネル間には、隣接する前記縦枠の前記溝部間に嵌め込まれる嵌合部材が設けられていてもよい。
【００１３】
このように構成された間仕切りシステムでは、隣接配置された間仕切りパネルの縦枠の溝部間に嵌合部材を嵌め込めば、隣接する間仕切りパネルどうしが連結される。よって、隣接する間仕切りパネルどうしを作業性良く連結することができる。また、表裏関係なく、間仕切りパネルを設置することができる。
【発明の効果】
【００１４】
本発明に係る間仕切りシステムによれば、現場での施工性を向上させることができる。
【図面の簡単な説明】
【００１５】
【図１】本発明の一実施形態に係る間仕切りシステムの一部の正面図である。
【図２】図１のＡ−Ａ断面図である。
【図３】本発明の一実施形態に係る間仕切りシステムの構成を示す横断面図の一例である。
【図４】図３のＢ−Ｂ断面図である。
【発明を実施するための形態】
【００１６】
本発明の一実施形態に係る壁システムについて、図面を用いて説明する。
図１は、本発明の一実施形態に係る間仕切りシステムの一部の正面図である。図２は、図１のＡ−Ａ断面図である。
図１及び図２に示すように、壁システム（間仕切りシステム）１００は、例えば、マンションやアパート等の集合住宅に設置され、隣接する居室等の空間Ｐ１，Ｐ２を仕切るものである。なお、壁システム１００は、戸建等の一般の住宅等にも設置可能である。
【００１７】
本実施形態では、図１に示すように、壁システム１００は、上レール１と、下レール２と、隣接配置された複数の間仕切りパネル３と、を備えている。
【００１８】
図２に示すように、上レール１は、天井面Ｄに固定され、複数の間仕切りパネル３の上側に連続して配置されている。
【００１９】
上レール１は、天井面Ｄに沿って配置され断面視矩形状に形成された上部取付部１１と、上部取付部１１の下面１１Ｂに設けられ断面視矩形状に形成された上部レール部１２と、を有している。
【００２０】
上部取付部１１及び上部レール部１２は、例えば木材や鋼材等で構成されている。上部取付部１１はビス等の固定具１Ｘで天井面Ｄに固定され、上部レール部１２は接着や不図示の固定具により上部取付部１１に固定されている。本実施形態では、上部取付部１１の断面寸法は、例えば幅５０ｍｍ、高さ６０ｍｍとされている。なお、上部取付部１１の下面１１Ｂに凹部（不図示。以下同じ。）が設けられ、断面視矩形状の上部レール部が当該凹部に嵌め込まれて、上部レール部が上部取付部１１の下面１１Ｂから下方に突出するように設けられていてもよい。
【００２１】
下レール２は、複数の間仕切りパネル３の下側に連続して配置されている。下レール２は、床面Ｆに沿って配置され断面視矩形状に形成された下部支持部２１と、下部支持部２１の上面２１Ｕに設けられ断面視矩形状に形成された下部レール部２２と、を有している。
【００２２】
下部支持部２１及び下部レール部２２は、例えば木材や鋼材等で構成され、下部レール部２２の上からビス等の固定具２２Ｘで下部支持部２１を貫通して床面Ｆに固定されている。本実施形態では、下部支持部２１の断面寸法は、例えば幅５０ｍｍ、高さ３５ｍｍとされている。なお、下部支持部２１の上面２１Ｕに凹部（不図示。以下同じ。）が設けられ、断面視矩形状の下部レール部が当該凹部に嵌め込まれて、下部レール部が下部支持部２１の上面２１Ｕから上方に突出するように設けられていてもよい。
【００２３】
図１及び図２に示すように、間仕切りパネル３は、板状に形成されている。間仕切りパネル３は、矩形状に形成された四方枠（枠体）３０と、四方枠３０の内部に設けられた芯材部４１と、四方枠３０の両面に設けられた表面材４２と、を有している。本実施形態では、間仕切りパネル３の寸法は、例えば幅８５０ｍｍ、高さ２４１５ｍｍ、厚さ６０ｍｍとされている。
【００２４】
四方枠３０は、上桟（上枠）３１と、下桟（下枠）３４と、上桟３１の端部と下桟３４の端部とを鉛直方向に連結する縦桟（縦枠）３７と、を有している。
【００２５】
図２に示すように、上桟３１は、断面視矩形状に形成され、上面３１Ｕには下方に凹む上部凹溝（上部嵌合部）３２が形成されている。上部凹溝３２は、上桟３１の延在方向に沿って形成されている。
【００２６】
上部凹溝３２には、上レール１の上部レール部１２が嵌め込まれている。上桟３１の上面３１Ｕと上部取付部１１の下面１１Ｂとの間には、隙間３１Ｓが設けられている。
【００２７】
下桟３４は、断面視矩形状に形成され、下面３４Ｂには上方に凹む下部凹溝（下部嵌合部）３５が形成されている。下部凹溝３５は、下桟３４の延在方向に沿って形成されている。
【００２８】
下部凹溝３５の下面には、滑り材３６が設けられている。滑り材３６は、下桟３４の延在方向に離間して複数設けられている。下部凹溝３５には下レール２の下部レール部２２が嵌め込まれ、滑り材３６が下部レール部２２の上面に当接している。
【００２９】
図３は、壁システム１００の構成を示す横断面図の一例である。図４は、図３のＢ−Ｂ断面図である。図３及び図４では、２枚の間仕切りパネル３Ａが隣接配置されるとともに、２枚の間仕切りパネル３の連結箇所に直交するように他の間仕切りパネル３Ｂが配置されている。さらに、壁部Ｗ側には、後述する間仕切りパネル３Ｘが設置されている。
図３に示すように、縦桟３７は、断面視矩形状に形成され、端面には内方に向かって凹む側部凹溝（溝部）３９が形成されている。側部凹溝３９は、縦桟３７の延在方向に沿って形成されている。
【００３０】
芯材部４１として、例えば、紙や樹脂の材料でハニカム形状に形成されたハニカムコアを採用することができる。
【００３１】
表面材４２は、化粧が施された板材であり、例えばオレフィンシートが貼られた化粧版を採用することができる。
【００３２】
隣接配置された間仕切りパネル３Ａ間において、縦桟３７の側部凹溝３９間には、やとい実（嵌合部材）４６が嵌め込まれている。また、間仕切りパネル３Ｂの縦桟３７の側部凹溝３９と間仕切りパネル３Ａの表面材４２との間には、例えばゴムで構成されたやとい実４６Ａが嵌め込まれている。
【００３３】
図１に示すように、隣接する間仕切りパネル３間において、一方の縦桟３７の側部凹溝３９の上下端部には、正面視Ｌ字状の位置決めアングル４７が設けられている（図１では、側部凹溝３９の上端部に設けられた位置決めアングル４７の図示を省略している）。上端部に設けられた位置決めアングル４７は縦桟３７及び天井面Ｄにビス等の固定具４７Ｘで固定され、下端部に設けられた位置決めアングル４７は縦桟３７及び床面Ｆにビス等の固定具で固定されている。
【００３４】
図３及び図４に示すように、間仕切りパネル３Ｘは、先付けパネル部３Ｙと、後付けパネル部３Ｚと、を有している。
【００３５】
先付けパネル部３Ｙは、矩形状に形成された四方枠３０Ｙと、四方枠３０Ｙの一方の面に設けられ化粧が施された板材の表面材４２Ｙと、を有している。
【００３６】
四方枠３０Ｙは、上桟３１Ｙと、下桟３４Ｙと、上桟３１Ｙの端部と下桟３４Ｙの端部とを鉛直方向に連結する縦桟３７Ｙと、を有している。
【００３７】
上桟３１Ｙ、下桟３４Ｙ及び縦桟３７Ｙには、それぞれ上部切欠き溝３２Ｙ、下部切欠き溝３５Ｙ及び側部切欠き溝３９Ｙが形成されている。上部切欠き溝３２Ｙ、下部切欠き溝３５Ｙ及び側部切欠き溝３９Ｙは、それぞれ上桟３１Ｙ、下桟３４Ｙ及び縦桟３７Ｙの延在方向に沿って形成されている。
【００３８】
後付けパネル部３Ｚは、矩形状に形成された四方枠３０Ｚと、四方枠３０Ｚの両面に設けられた表面材４２Ｚ、４２Ｗと、を有している。表面材４２Ｗには、化粧が施されている。
【００３９】
四方枠３０Ｚは、上桟３１Ｚと、下桟３４Ｚと、上桟３１Ｚの端部と下桟３４Ｚの端部とを鉛直方向に連結する縦桟３７Ｚと、を有している。
【００４０】
先付けパネル部３Ｙの上桟３１Ｙ、下桟３４Ｙ及び縦桟３７Ｙには、それぞれ雌クリップ３０Ａがねじ込まれている。後付けパネル部３Ｚの表面材４２Ｚからそれぞれ上桟３１Ｚ、下桟３４Ｚ及び縦桟３７Ｚに貫通するように、雄クリップ３０Ｂがねじ込まれている。雌クリップ３０Ａ及び雄クリップ３０Ｂは、それぞれ鉛直方向に離間して複数設けられている。
【００４１】
雄クリップ３０Ｂは、表面材４２Ｚから突出するように設けられている。雌クリップ３０Ａに雄クリップ３０Ｂを係止させることで、後付けパネル部３Ｚは先付けパネル部３Ｙに固定されている。
【００４２】
上部切欠き溝３２Ｙと後付けパネル部３Ｚの表面材４２Ｚとの間に、上レール１の上部レール部１２が嵌め込まれている。また、下部切欠き溝３５Ｙと後付けパネル部３Ｚの表面材４２Ｚとの間に、下レール２の下部レール部２２が嵌め込まれている。
【００４３】
間仕切りパネル３Ｘと間仕切りパネル３Ｂとの間では、間仕切りパネル３Ｘの側部切欠き溝３９Ｙと、表面材４２Ｚと間仕切りパネル３Ｂの側部凹溝３９との間に、やとい実４６が嵌め込まれている。
【００４４】
間仕切りパネル３Ｘと壁部Ｗとの間では、間仕切りパネル３Ｘの側部切欠き溝３９Ｙと、表面材４２Ｚと、壁部Ｗとの間に、やとい実４６が嵌め込まれている。やとい実４６は、ビス等の固定具３９Ｘにより壁部Ｗに固定されている。
【００４５】
次に、上記の壁システム１００の施工方法について説明する。
まず、上レール１を天井面Ｄに固定具１Ｘで固定し、下レール２を床面Ｆに固定具２２Ｘで固定する。
【００４６】
次に、予め工場等で製造しておいた間仕切りパネル３を用意する。上レール１及び下レール２の延在方向の端部側に、間仕切りパネル３を配置する。間仕切りパネル３の上部凹溝３２及び下部凹溝３５に、それぞれ上レール１の上部レール部１２及び下レール２の下部レール部２２を嵌め込み、所定の位置まで上レール１及び下レール２に沿ってスライドさせる。この際に、間仕切りパネル３の下端部には滑り材３６が設けられているため、スライドさせやすい。
【００４７】
図１に示すように、間仕切りパネル３を隣接配置する場合には、一方の間仕切りパネル３の側部凹溝３９にやとい実４６を嵌め込み、間仕切りパネル３を所定の位置に配置する。その後、側部凹溝３９の上下端部に位置決めアングル４７を配置して、それぞれ天井面Ｄ、床面Ｆ及び縦桟３７に固定具４７Ｘで固定する。これにより、間仕切りパネル３の位置が決められ、鉛直方向及び間仕切りパネル３の幅方向にずれることがない。また、間仕切りパネル３の上部凹溝３２及び下部凹溝３５は、上レール１の上部レール部１２及び下レール２の下部レール部２２に嵌め込まれているため、間仕切りパネル３は厚さ方向への移動が規制されている。
【００４８】
図３に示すように、間仕切りパネル３Ｂを間仕切りパネル３Ａに直交して設置する場合も、同様に、間仕切りパネル３Ｂの縦桟３７の側部凹溝３９と間仕切りパネル３Ａの表面材４２との間に、やとい実４６Ａを嵌め込む。
【００４９】
間仕切りパネル３Ｘを設置する際には、先付けパネル部３Ｙを所定の位置に配置した後に、先付けパネル部３Ｙに下穴を設けて雌クリップ３０Ａをねじ込む。後付けパネル部３Ｚの雌クリップ３０Ａと対応する位置に下穴を設けて、雄クリップ３０Ｂをねじ込む。先付けパネル部３Ｙの側部切欠き溝３９Ｙにやとい実４６を嵌め込んでおいて、雄クリップ３０Ｂを雌クリップ３０Ａに係止させて、後付けパネル部３Ｚを先付けパネル部３Ｙに固定する。
【００５０】
なお、間仕切りパネル３の上面３１Ｕと上レール１の上部取付部１１の下面１１Ｂとの間の隙間３１Ｓの高さが十分にある場合には、間仕切りパネル３の上部凹溝３２に上レール１の上部レール部１２を嵌め込み、間仕切りパネル３を上方に持ち上げた後に、下部凹溝３５に下部レール部２２を嵌め込んで下方に移動させて、間仕切りパネル３を上レール１に係止及び下レール２に支持させてもよい。
【００５１】
このように構成された壁システム１００では、施工現場で、天井面Ｄに上レール１を固定し、床面Ｆに下レール２を固定する。予め工場等で間仕切りパネル３を製造しておけば、間仕切りパネル３を運搬してきて、間仕切りパネル３の上端部を上レール１に係止させ、下端部を下レール２に支持させれば、間仕切りパネル３が天井と床との間に設置される。よって、施工現場において、軽量鉄骨等で間仕切りの鋼製下地を組み立てる工事が省略され施工時間が短縮できるとともに、工場で製造された間仕切りパネル３を使用することで施工精度を確保することができるため、現場での施工性が向上される。
【００５２】
また、間仕切りパネル３，３Ｘは、内部に四方枠３０，３０Ｙ，３０Ｚを有するため、間仕切りパネル３，３Ｘ自体で所定の剛性を確保することができる。また、四方枠３０，３０Ｙ，３０Ｚの両面には化粧が施された表面材４２，４２Ｗが設けられ、表面材４２，４２Ｗ自体で化粧性を有するため、クロス等の壁紙を貼る工事が省略され、施工時間を短縮することができる。
【００５３】
また、上桟３１の上部凹溝３２を上レール１に嵌合して、下桟３４の下部凹溝３５を下レール２に嵌合させれば、四方枠３０は上レール１及び下レール２に取り付けられるため、間仕切りパネル３を作業性良く設置することができる。
【００５４】
また、隣接する間仕切りパネル３の縦桟３７の側部凹溝３９間に、やとい実４６を嵌め込めば、隣接する間仕切りパネル３どうしが連結されるため、隣接する間仕切りパネル３どうしを作業性良く連結することができる。また、表裏関係なく、間仕切りパネル３を設置することができる。
【００５５】
また、入隅や、両側に既に壁部Ｗ及び間仕切りパネル３が設置されている箇所では、予め先付けパネル部３Ｙと後付けパネル部３Ｚとに分割された部材を用いることで、当該箇所にも間仕切りパネル３Ｘを設置することができる。
【００５６】
なお、上述した実施の形態において示した組立手順、あるいは各構成部材の諸形状や組み合わせ等は一例であって、本発明の主旨から逸脱しない範囲において設計要求等に基づき種々変更可能である。
【００５７】
例えば、上記に示す実施形態では、上レール１及び下レール２には、それぞれ上部レール部１２及び下部レール部２２が設けられ凸形状とされ、上桟３１及び下桟３４にそれぞれ上部凹溝３２及び下部凹溝３５が設けられ凹形状とされているが、本発明はこれに限られない。上レール及び下レール側に凹部が形成され、上桟及び下桟に凸部が形成された構成であってもよい。
【００５８】
また、上記に示す実施形態では、間仕切りパネル３の上下端部がそれぞれ上レール１及び下レール２にそれぞれ嵌合される構成であるが本発明はこれに限られない。間仕切りパネルの上下端部がそれぞれ上レールに係止及び下レールに支持されればよく、間仕切りパネルの上下端部をそれぞれ上レール及び下レールにビス等の固定具で固定する構成であってもよい。
【符号の説明】
【００５９】
１…上レール
２…下レール
３…間仕切りパネル
３０…四方枠（枠体）
３１…上桟（上枠）
３２…上部凹溝（上部嵌合部）
３４…下桟（下枠）
３５…下部凹溝（下部嵌合部）
３７…縦桟（縦枠）
３９…側部凹溝（溝部）
４２…表面材
４６…やとい実（嵌合部材）
１００…壁システム（間仕切りシステム）
Ｃ…天井面
Ｆ…床面
Ｐ１，Ｐ２…空間
【図１】
2017179919.tif 000003
【図２】
2017179919.tif 000004
【図３】
2017179919.tif 000005
【図４】
2017179919.tif 000006